(57)【特許請求の範囲】
【請求項１】
電気機器に備えているマイクロコンピュータを備えた制御回路をリセットする為のリセット機構において、電気機器の非導電性ケースに小さな穴を設けると共に、金属シャーシにも上記ケースの穴と同一線上に穴を形成し、該金属シャーシの穴の奥には前記マイクロコンピュータをリセットする為にリセット回路パターン端部に設けたリセット端子を備え、該リセット回路パターン端部のリセット端子を金属シャーシの穴に臨ませて形成し、前記金属シャーシの穴に導電性の金属棒を挿入することによって、該金属棒の先をリセット回路パターン端部のリセット端子に接触させると同時に該金属棒を前記金属シャーシに接触させてマイクロコンピュータをリセットできるように、挿入される上記金属棒がリセット機構の一部を構成したことを特徴とする電気機器のリセット機構。
【請求項２】
上記金属シャーシに代えて電子機器の金属製外装部分を利用し、該外装部分に穴を形成した請求項１記載の電気機器のリセット機構。
【発明の詳細な説明】
【０００１】
【発明の属する技術分野】
本発明は電気機器におけるマイクロプロセッサ等の被リセット体をリセットするリセット機構に関するものである。
【０００２】
【従来の技術】
今日の電気機器は多様化すると共に多くの機能が備わり、これらの要件を満たす為に電気回路を所定の状態に制御する為のマイクロコンピュータが使われている。しかしながら、該コンピュータは回路内の故障、入力信号の誤り、或は電気機器が使用されている環境等により、正常な機能を発揮できずに誤動作を引き起こすことがある。
【０００３】
このような事態が発生した場合、該マイクロコンピュータの動作を解除停止する必要があり、電気機器にはマイクロコンピュータをリセットする為のリセットスイッチが設けられている。この場合、リセットの為には専用のリセットスイッチを設けることが多いが、その使用頻度はそれ程高くはない為に、専用リセットスイッチを設けたのでは生産コストがその分だけ高くなってしまう。
【０００４】
従来においても色々なリセットスイッチが開発され、例えば特開平６−７６６８９号に係る「リセットスイッチ」、及び特許第２６６５８４８号に係る「電気機器のリセットスイッチ」が知られている。しかしこれらリセットスイッチは従来のものに比較して簡単な構造にて構成しているが、あくまでも特別に設けたリセットスイッチとなっている。
【０００５】
【発明が解決しようとする課題】
このように従来のリセットスイッチには上記のごとき問題がある。本発明が解決しようとする課題はこの問題点であり、特別なリセットスイッチを設けることなく電気回路のリセットが出来るようにした安価な電気機器のリセット機構及びリセット方法を提供する。
【０００６】
【課題を解決する為の手段】
本発明に係る電気機器のリセット機構は電気機器の導電性の金属シャーシ等、通常使用される電気機器のケース部材の導電性を利用している。すなわち、同金属シャーシに穴を設け、シャーシ内に設けているプリント基板上にはマイクロコンピュータを電気的にリセットするリセット回路パターンを設けている。
【０００７】
そしてリセット時にはシャーシに形成した穴からリセット端子へ導電性の金属棒を差し込み、導電性の金属シャーシとリセット回路パターンに同時接触させることにより、マイクロコンピュータがリセットされるように構成している。従って、本発明ではリセットスイッチに相当するものは存在せず、リセットスイッチを用いないでマイクロコンピュータをリセットすることが出来る。ここで、上記シャーシに限らず金属製の電子部品外装に小さな穴を形成することも出来る。以下、本発明に係る実施例を図面に基づいて詳細に説明する。
【０００８】
【実施例】
図１は本発明に係る電気機器のフロント部に設けているリセット機構を示す実施例であり、同図の１はケースのフロント板、２は金属シャーシ、３はプリント基板、４はリセット回路パターンを示している。上記フロント板１は非導電性の樹脂製であり、該フロント板１を貫通して穴６を設けている。そしてケース内に取付けている金属シャーシ２の正面を立ち上げてフロント部７とし、該フロント部７にも小さな穴８が貫通している。
【０００９】
金属シャーシ２のプリント基板３にはマイクロコンピュータのリセット回路パターン４が設けられている。上記フロント板１に設けた穴６から導電性の金属棒５を挿入し、該金属棒５は金属シャーシ２のフロント部７に形成した穴８を貫き、上記プリント基板３のリセット回路パターン４と上記金属シャーシ２に同時接触させることでマイクロコンピュータをリセットすることが出来る。
【００１０】
ここで、電気機器のケースに貫通して設ける穴６は図１に示すようにフロント板１に限らず、ケース背面板や側面板、又は底板に設けることも出来る。そして金属棒５は導電性の細長いものであればよく、例えばクギやワイヤーを使用することが出来る。
【００１１】
通常マイクロコンピュータ又はリセット信号発生回路には電圧レギュレータからの電圧がかかっていて、予め決められた電圧と比較して、その結果に応じてマイクロコンピュータにリセット信号を出力するようになっている。従って、上記リセット時に上記金属棒５を金属シャーシ２とリセット回路パターン４に同時接触させることで電圧に変化が起こり、リセット信号が出力されマイクロコンピュータはリセットされる。
【００１２】
図２は前記図１の電気系統のブロック図であり、この発明に関連した要部を示している。該ブロック図は、電圧レギュレータ９、マイクロコンピュータ１０、電気機器の各種回路の負荷１１，１２、リセット回路パターン４から構成されている。同図において、マイクロコンピュータ１０への電圧は、電源Ｖｂから電圧レギュレータ９を経由して印加され、一方は金属シャーシ２にアースされている。
【００１３】
リセット操作を行なう時は上記金属シャーシ２の穴８に金属棒５を差し込み、リセット回路パターン４に接触させると同時に金属シャーシ２にも接触させることで、上記のように電圧に変化が起こり、その結果、リセット信号が出力されてマイクロコンピュータ１０はリセットされる。
【００１４】
尚、実施例では金属シャーシ２に穴８を設けているが、例えばＡＶ機器などの導電性の電子機器の外装部分を利用することも出来る。以上述べたように、本発明の電気機器のリセット機構はケースから金属シャーシに貫通する穴を設け、マイクロコンピュータをリセットする為のリセット端子を穴の付近に設けたものであり、次のような効果を得ることが出来る。
【００１５】
【発明の効果】
本発明のリセット機構は従来のような特別なリセットスイッチを設けていない。すなわち、金属シャーシ等の穴に金属棒を挿入し、該金属棒の先をリセット回路パターンに接触させてマイクロコンピュータをリセットして初期状態に戻すことが出来る。従って専用のリセットスイッチを構成する部品の製作、組み付け作業が不要となる為に、その分生産コストは安くなる。
【図面の簡単な説明】
【図１】本発明に係るリセット機構の実施例。
【図２】リセット機構の電気系統を示すブロック線図。
【符号の説明】
１  フロント板
２  金属シャーシ
３  プリント基板
４  リセット回路パターン
５  金属棒
６  穴
７  フロント部
８  穴
９  電圧レギュレータ
10  マイクロコンピュータ
11  負荷
12  負荷
【図１】
0003831840.tif 000002
【図２】
0003831840.tif 000003